(57)【要約】【課題】フレームメインの被記録物の搬送方向への傾きを抑制すること【解決手段】インクを被記録物に対して吐出する記録ヘッドを有するキャリッジを、被記録物の搬送方向に対して略垂直の走査方向に移動することにより被記録物に記録するインクジェット式記録装置であって、インクジェット式記録装置は、キャリッジの下方に設けられ、被記録物の搬送路を形成する下部ハウジングと、キャリッジを走査方向に案内するガイド板、ガイド板の下部に設けられ、下部ハウジングに当接するフレーム当接部、及びフレーム当接部を中心として対称な位置に設けられ、ガイド板を下部ハウジングに締結する複数の締結部とを有するフレームメインとを備える。【選択図】　図２
2004082558.tif 000002
【特許請求の範囲】
【請求項１】
インクを被記録物に対して吐出する記録ヘッドを有するキャリッジを、前記被記録物の搬送方向に対して略垂直の走査方向に移動することにより前記被記録物に記録するインクジェット式記録装置であって、
前記キャリッジの下方に設けられ、前記被記録物の搬送路を形成する下部ハウジングと、
前記キャリッジを前記走査方向に案内するガイド板、前記ガイド板の下部に設けられ、前記下部ハウジングに当接するフレーム当接部、及び前記フレーム当接部を中心として対称な位置に設けられ、前記ガイド板を前記下部ハウジングに締結する複数の締結部とを有するフレームメインと
を備えたことを特徴とするインクジェット式記録装置。
【請求項２】
前記複数の締結部は、前記被記録物の搬送方向において前記ガイド板の両側にそれぞれ設けられたことを特徴とする請求項１に記載のインクジェット式記録装置。
【請求項３】
前記下部ハウジングは、前記複数の締結部及び前記フレーム当接部と対向する位置で突起したフレーム支持突起を有し、
前記フレーム支持突起が前記フレーム当接部と当接しているときに、前記締結部と前記フレーム支持突起の前記締結部に対向する面との間隔が、それぞれの複数の締結部についてほぼ同一であることを特徴とする請求項１に記載のインクジェット式記録装置。
【請求項４】
前記フレーム支持突起は、
前記フレーム支持突起上面の略中央付近から突起し、前記フレーム当接部と当接するハウジング当接部と、
前記フレーム支持突起上面において前記ハウジング当接部を中心として対称な位置に配され、ネジにより前記締結部に締結されるネジ取付部と
を有することを特徴とする請求項３に記載のインクジェット式記録装置。
【発明の詳細な説明】
【０００１】
【発明の属する技術分野】
本発明は、インクジェット式記録装置に関する。特に本発明は、被記録物上に正確に記録することができるインクジェット式記録装置に関する。
【０００２】
【従来の技術】
液体噴射装置の一例として、インクジェット式記録装置は、記録ヘッドのノズル形成面に設けられたノズルから被記録物に対してインクを吐出しつつ、キャリッジをガイドに沿って往復移動することにより、被記録物に記録する。更に、インクジェット式記録装置は、被記録物の搬送路を形成する下部ハウジングを有する。ガイドは、フレームメインの一部として形成され、フレームメインを下部ハウジングに取り付けることにより、フレームメインの下部ハウジングに対する高さ方向の位置が定まる。
【０００３】
【発明が解決しようとする課題】
しかし、従来のインクジェット式記録装置では、フレームメインを、下部ハウジングに対して固定するときに、高さ方向の位置を正確に決定することが困難であった。そのため、フレームメインは、傾いた状態で下部ハウジングに固定されることがあった。従って、キャリッジが傾いたガイドに沿って移動するので、被記録物に正確に記録することが困難であった。
【０００４】
そこで本発明は、上記の課題を解決することのできるインクジェット式記録装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、インクを被記録物に対して吐出する記録ヘッドを有するキャリッジを、被記録物の搬送方向に対して略垂直の走査方向に移動することにより被記録物に記録する記録装置であって、インクジェット式記録装置は、キャリッジの下方に設けられ、被記録物の搬送路を形成する下部ハウジングと、キャリッジを走査方向に案内するガイド板、ガイド板の下部に設けられ、下部ハウジングに当接するフレーム当接部、及びフレーム当接部を中心として対称な位置に設けられ、ガイド板を下部ハウジングに締結する複数の締結部とを有するフレームメインとを備える。
【０００６】
更に、複数の締結部は、被記録物の搬送方向においてガイド板の両側にそれぞれ設けられることが好ましい。また、下部ハウジングは、複数の締結部及びフレーム当接部と対向する位置で突起したフレーム支持突起を有し、フレーム支持突起がフレーム当接部と当接しているときに、締結部とフレーム支持突起の締結部に対向する面との間隔が、それぞれの複数の締結部についてほぼ同一であることが好ましい。また、フレーム支持突起は、フレーム支持突起上面の略中央付近から突起し、フレーム当接部と当接するハウジング当接部と、フレーム支持突起上面においてハウジング当接部を中心として対称な位置に配され、ネジにより締結部に締結されるネジ取付部とを有することが好ましい。
【０００７】
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【０００９】
図１は、インクジェット式記録装置１０の斜視図である。インクジェット式記録装置は、インクを被記録物に対して吐出する記録ヘッド４４を有するキャリッジ４２を、矢印に示す被記録物の搬送方向ａに対して略垂直の走査方向に移動することにより被記録物に記録する。ここで、インクジェット式記録装置１０は、液体噴射装置の一例である。また、インクジェット式記録装置１０の記録ヘッドは、液体噴射装置の液体噴射ヘッドの一例である。記録ヘッドに設けられる吐出口は、液体噴射ヘッドの噴射口の一例である。また、被記録物は、ターゲットの一例である。
【００１０】
しかしながら、本実施形態はインクジェット式記録装置に限られない。液体噴射装置の他の例としては、液晶ディスプレイのカラーフィルタを製造するカラーフィルタ製造装置がある。この場合、カラーフィルタ製造装置の色材噴射ヘッドは、液体噴射ヘッドの一例である。液体噴射装置のさらに他の例としては、有機ＥＬディスプレイ、ＦＥＤ（面発光ディスプレイ）等の電極を形成する電極形成装置がある。この場合、電極形成装置の電極材（電導ペースト）噴射ヘッドは、液体噴射ヘッドの一例である。液体噴射装置のさらに他の例としては、バイオチップを製造するバイオチップ製造装置がある。この場合、バイオチップ製造装置の生体有機物噴射ヘッドおよび精密ピペットしての試料噴射ヘッドは、液体噴射ヘッドの一例である。本発明の液体噴射装置は、産業用途を有するその他の液体噴射装置も含む。
【００１１】
インクジェット式記録装置１０は、図１に示すように、記録ヘッド４４を有するキャリッジ４２、フレームメイン２００、及び下部ハウジング２０２を備える。フレームメイン２００は、ガイド板１００を有する。ガイド板１００は、キャリッジ４２を搬送方向ａに対して略垂直な方向にスライド可能に支持する。ガイド板１００は、キャリッジ４２の走査方向に形成された溝穴状のガイド溝１２８及びガイドレール１２９を有し、ガイドレール１２９は、キャリッジ４２を走査方向に案内する。図２に示すように、ガイドレール１２９は、ガイド溝１２８分の板部をインクジェット式記録装置１０の正面方向にＬ字型に折り曲げることにより形成される。下部ハウジング２０２は、キャリッジ４２の下方に設けられ、被記録物の搬送路を形成する。
【００１２】
上記した構成において、インクジェット式記録装置１０は、記録ヘッド４４をガイド板１００のガイドレール１２９に沿って往復させつつインクを吐出する。インクジェット式記録装置１０は、記録ヘッド４４が一走査する毎に被記録物を搬送することで、被記録物の全体に印刷を行う。なお、記録ヘッド４４は、往路及び復路の双方で印刷を行う場合もあるし、一方のみで印刷を行う場合もある。
【００１３】
フレームメイン２００を、下部ハウジング２０２に取り付ける方法として、フレームメイン２００及び下部ハウジングをネジで締結する箇所を１カ所とし、ボスを用いてフレームメイン２００及び下部ハウジング２０２を当接して高さ方向の位置を決める箇所を２カ所とする方法がある。この方法を用いた場合、２カ所のボスの高さが、誤差のために異なると、フレームメイン２００が傾いた状態で、下部ハウジング２０２に取り付けられることがあった。そのため、キャリッジ４２が傾いたガイド板１００に案内されて移動するので、記録物に正確に記録することが困難であった。本願は、フレームメイン２００が、下部ハウジング２０２に傾いて状態で取り付けられることを防止することを目的とする。
【００１４】
図２は、フレームメイン２００が、下部ハウジング２０２に取り付けられる取付部分の分解斜視図である。フレームメイン２００は、ガイド板１００に加え、ガイド板１００の下部に設けられ、下部ハウジング２０２に当接するフレーム当接部１０６と、ガイド板１００の下部に設けられ、ガイド板１００を下部ハウジング２０２に締結する締結部１０２及び１０４とを有する。締結部１０２及び１０４は、フレーム当接部１０６を中心として対称な位置に設けられる。締結部１０２は、図２に示すように、ガイド板１００の右側端を手前側に曲げ、曲げられた右側端の底部を、左側方へ曲げることにより形成される。一方、締結部１０４は、ガイド板１００の底部を、図２に示すようにガイド板１００の奥側側方へ曲げることにより形成される。締結部１０２及び１０４は、ネジが貫通する穴２１２をそれぞれ有する。
【００１５】
フレームメイン２００が下部ハウジング２０２に取り付けられたときにフレームメイン２００の締結部１０２、締結部１０４、及びフレーム当接部１０６と対向する位置に、下部ハウジング２０２は、フレーム支持突起１１８を有する。フレーム支持突起１１８の上面は、略三角形の形状を有する。フレーム支持突起１１８は、ハウジング当接部１２０と、ネジ取付部１２２及び１２４とを上面に有する。ハウジング当接部１２０は、フレーム支持突起１１８上面の略中央付近から突起するように形成され、フレームメイン２００が下部ハウジング２０２に取り付けられたときに、フレーム当接部１０６と当接する。フレームメイン２００が下部ハウジング２０２に取り付けられたときに締結部１０２及び１０４とそれぞれ対向する位置に、ネジ取付部１２２及び１２４は配される。すなわち、ネジ取付部１２２及び１２４は、フレームメイン２００における締結部１０２及び１０４の配置位置と対向するように、フレーム支持突起１１８上面においてハウジング当接部１２０を中心として対称な位置に配される。ネジ取付部１２２及び１２４は、ネジが挿入されて締結されるネジ穴２１４をそれぞれ有し、ネジによりフレームメイン締結部１０２及び１０４にそれぞれ締結される。
【００１６】
締結部１０２及び１０４が、フレーム当接部１０６を中心として対称な位置に設けられ、ネジ取付部１２２及び１２４がハウジング当接部１２０を中心として対称な位置に配されるので、ガイド板１００は、搬送方向ａに傾かずに下部ハウジング２０２に固定される。そのため、キャリッジ４２は、傾き及びねじれのないガイドレール１２９に案内されて正確に走査方向に移動するので、被記録物に曲がって記録することを抑制することができる。
【００１７】
図３は、フレームメイン２００が、下部ハウジング２０２に取り付けられたときの取付部分の詳細を示す。フレームメイン２００が下部ハウジング２０２に取り付けられたとき、フレームメイン２００のフレーム当接部１０６は、下部ハウジング１２０のハウジング当接部１２０と当接する。これにより、フレームメイン２００の高さ方向の位置が決定する。更に、このとき、フレームメイン２００の締結部１０２は、下部ハウジング２０２のネジ取付部１２２と対向する位置に配され、フレームメイン２００の締結部１０４は、下部ハウジング２０２のネジ取付部１２４と対向する位置に配される。
【００１８】
図２及び３に示すように、フレーム当接部１０６と、締結部１０２及び１０４とは、キャリッジ４２を案内するガイド板１００の下部に設けられているので、本実施形態は、キャリッジ４２の重量によるガイド板１００のたわみを抑制することができる。
【００１９】
図４は、インクジェット式記録装置１０の取付部分における上面図である。締結部１０２及び１０４は、フレーム当接部１０６を中心として対称な位置に設けられる。例えば、締結部１０２及び１０４は、実線矢印に示す被記録物の搬送方向ａにおいてガイド板１００の両側にそれぞれ設けられる。より詳細には、締結部１０４は、搬送方向ａにおいてガイド板１００の奥側に配され、締結部１０６は、、搬送方向ａにおいてガイド板１００の手前側に配される。そのため、フレームメイン２００は、被記録物の搬送方向ａの前後に傾かずに下部ハウジング２０２に取り付けられる。従って、被記録物に正確に記録することができる。更に、締結部１０２及び１０４は、破線矢印に示すキャリッジ４２の走査方向ｂにおいてフレーム当接部１０６の両側にそれぞれ設けられる。より詳細には、締結部１０４は、走査方向ｂにおいてフレーム当接部１０６の左側に配され、締結部１０６は、走査方向ｂにおいてフレーム当接部１０６の右側に配される。そのため、フレームメイン２００は、キャリッジ４２の走査方向ｂに傾かずに下部ハウジング２０２に取り付けられる。従って、被記録物に正確に記録することができる。
【００２０】
図５は、フレームメイン２００が、下部ハウジング２０２に取り付けられたときの取付部分の正面図である。ハウジング当接部１２０がフレーム当接部１０６と当接しているときに、フレームメイン２００の締結部１０２とフレーム支持突起１１８のネジ取付部１２２の上面との間隔ｃ及びフレームメイン２００の締結部１０４とフレーム支持突起１１８のネジ取付部１２４の上面との間隔ｄは、ほぼ同一である。この状態で、フレームメイン２００の締結部１０２は、ネジ２１０により下部ハウジング２０２のネジ取付部１２２に締結され、フレームメイン２００の締結部１０４は、ネジ２１０により下部ハウジング２０２のネジ取付部１２４に締結される。締結部１０２とネジ取付部１２２との間隔ｃ及び締結部１０４とネジ取付部１２４との面との間隔ｄは、略同一であるので、各ネジ２１０は、ほぼ同じ力で締結部１０２とネジ取付部１２２とを締結し、締結部１０４とネジ取付部１２４とを締結する。
【００２１】
従って、ネジ２１０によりフレームメイン２００が下部ハウジング１２０に締結されたとき、締結部１０２とネジ取付部１２２の上面との間隔ｃ及び締結部１０４とネジ取付部１２４の上面との間隔ｄは、ほぼ同一である。そのため、フレームメイン２００は、下部ハウジング２０２に締結されたとき、被記録物の搬送方向ａに傾かない。フレームメイン２００が傾かずに下部ハウジング２０２に取り付けられるので、キャリッジ４２は、傾き及びねじれのないガイドレール１２９に案内されて正確に走査方向に移動する。従って、本実施形態のインクジェット式記録装置１０は、被記録物に記録するときに、被記録物に曲がって記録することを防ぎ、被記録物に正確に記録することができる。
【００２２】
例えば、２カ所の当接部で高さ方向の位置を決定する場合、フレームメイン２００及び下部ハウジング２０２の各当接部の誤差範囲が各２カ所でそれぞれ±０．０５ｍｍであると、２カ所の当接部で最大０．２ｍｍのフレームメイン２００の傾きが生ずる。本実施形態の場合、１カ所の当接部で高さ方向の位置を決めるので、フレームメイン２００及び下部ハウジング２０２の各当接部の誤差範囲がそれぞれ±０．０５ｍｍであった場合でも、フレームメイン２００の傾きを最大０．１ｍｍに抑制することができる。
【００２３】
以上説明したように、本実施形態のインクジェット式記録装置１０は、キャリッジ４２の重量によるガイド板１００のたわみを抑制することができ、更に、フレームメイン２００の搬送方向ａの傾きを抑制することができる。そのため、本実施形態のインクジェット式記録装置１０は、印字品質を向上することができる。
【００２４】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００２５】
【発明の効果】
上記説明から明らかなように、本発明によればフレームメインの被記録物の搬送方向への傾きを抑制することができる。
【図面の簡単な説明】
【図１】図１は、インクジェット式記録装置１０の斜視図である。
【図２】図２は、フレームメイン２００が、下部ハウジング２０２に取り付けられていないときの取付部分の詳細を示す。
【図３】図３は、フレームメイン２００が、下部ハウジング２０２に取り付けられたときの取付部分の詳細を示す。
【図４】図４は、インクジェット式記録装置１０の取付部分における上面図である。
【図５】図５は、フレームメイン２００が、下部ハウジング２０２に取り付けられたときの取付部分の正面図である。
【符号の説明】
４２・・・キャリッジ、４４・・・記録ヘッド、１００・・・ガイド板、１０２、１０４・・・締結部、１０６・・・フレーム当接部、１１８・・・フレーム支持突起、１２０・・・ハウジング当接部、１２２、１２４・・・ネジ取付部、１２８・・・ガイドレール、２００・・・フレームメイン、２０２・・・下部ハウジング、２１０・・・ネジ、２１２・・・穴、２１４・・・ネジ穴
【図１】
2004082558.tif 000003
【図２】
2004082558.tif 000004
【図３】
2004082558.tif 000005
【図４】
2004082558.tif 000006
【図５】
2004082558.tif 000007